(57)【要約】  【課題】  テレビ局の音楽番組を見ている視聴者をミュージッククリップ配信サイトに誘導して、相互の連携によって広告作用を倍加するシステムを提供する。  【解決手段】  ＭＣに関する権利を有する権利者とＭＣに関係する放送番組を制作するテレビ局とが提携して行うＭＣ配信システムであって、前記放送局が放送する放送番組において紹介するＭＣに関する情報を記憶するＭＣ関連情報記憶部１と、前記権利者が関係するＭＣの動画を記憶したＭＣ動画記憶部１３と、ＭＣ動画を通信ネットワーク２４を介してクライアントの携帯電話２５にダウンロード配信するＭＣ配信処理部１２と、ＭＣ関連情報の連動期間情報に基づいて前記連動処理手段２を起動及び終了させる制御部３とを備え、ＭＣ配信処理部１２は、ＭＣ関連情報の連動タイプ情報に基づいてＭＣ配信ホームページ１５の表示状態を変換する。【選択図】  図５
2007243692.tif 000002
【特許請求の範囲】
【請求項１】
ミュージッククリップに関する権利を有する権利者とミュージッククリップに関係する放送番組を制作するテレビ局とが提携して行うミュージッククリップ配信システムであって、
前記放送局が放送する放送番組において紹介するミュージッククリップに関する情報を記憶するミュージッククリップ関連情報記憶手段と、前記権利者が関係するミュージッククリップの動画を記憶したミュージッククリップ動画記憶手段と、前記ミュージッククリップ動画を通信ネットワークを介してクライアントの携帯端末にダウンロード配信するミュージッククリップ配信処理手段と、ミュージッククリップを紹介する放送番組と連動動作を行わせる連動処理手段と、前記ミュージッククリップ関連情報の連動期間情報に基づいて前記連動処理手段を起動及び終了させる制御部とを備え、
前記連動処理手段がテレビ画面処理手段で構成され、
前記テレビ画面処理部は、リアルタイム或いは録画された放送番組データを一時的に格納する放送番組記憶手段と、連動表示のパターンとその表示方式を記憶する連動表示パターン記憶手段と、放送番組デジタルデータの所定画面に対して連動表示を重ねて合成する合成手段とを有し、
前記連動する放送番組が、コマーシャルメッセージのように１５秒〜３分間の短い時間において１日〜数日間に複数回放送するヘビーローテーション放送番組であることを特徴とする、テレビ放送連動型のミュージッククリップ配信システム。
【請求項２】
ミュージッククリップに関する権利を有する権利者とミュージッククリップに関係する放送番組を制作するテレビ局とが提携して行うミュージッククリップ配信システムであって、
前記放送局が放送する放送番組において紹介するミュージッククリップに関する情報を記憶するミュージッククリップ関連情報記憶手段と、前記権利者が関係するミュージッククリップの動画を記憶したミュージッククリップ動画記憶手段と、前記ミュージッククリップ動画を通信ネットワークを介してクライアントの携帯端末にダウンロード配信するミュージッククリップ配信処理手段と、ミュージッククリップを紹介する放送番組と連動動作を行わせる連動処理手段と、前記ミュージッククリップ関連情報の連動期間情報に基づいて前記連動処理手段を起動及び終了させる制御部とを備え、
前記連動処理手段が前記ミュージッククリップ配信処理手段で構成され、
前記ミュージッククリップ配信処理手段は、ミュージッククリップ配信処理手段のホームページを構成するミュージッククリップ配信ホームページ手段と、ホームページ内における表示パターンを記憶するサイト表示パターン記憶手段と、前記ミュージッククリップ関連情報の連動タイプ情報に基づいてミュージッククリップ配信ホームページ手段の表示状態を変換する表示設定手段とを有し、
前記連動する放送番組が、コマーシャルメッセージのように１５秒〜３分間の短い時間において１日〜数日間に複数回放送するヘビーローテーション放送番組であることを特徴とする、テレビ放送連動型のミュージッククリップ配信システム。
【請求項３】
ミュージッククリップに関する権利を有する権利者とミュージッククリップに関係する放送番組を制作するテレビ局とが提携して行うミュージッククリップ配信システムであって、
前記放送局が放送する放送番組において紹介するミュージッククリップに関する情報を記憶するミュージッククリップ関連情報記憶手段と、前記権利者が関係するミュージッククリップの動画を記憶したミュージッククリップ動画記憶手段と、前記ミュージッククリップ動画を通信ネットワークを介してクライアントの携帯端末にダウンロード配信するミュージッククリップ配信処理手段と、ミュージッククリップを紹介する放送番組と連動動作を行わせる連動処理手段と、前記ミュージッククリップ関連情報の連動期間情報に基づいて前記連動処理手段を起動させる制御部とを備え、
前記連動処理手段がメール処理手段で構成され、
前記メール処理手段は、各視聴者のメールアドレス、携帯電話の種類などを記憶する登録者情報記憶手段と、所定のメールのフォーマット文を記憶するフォーマット文記憶手段と、前記フォーマット文の所定箇所を各ミュージッククリップの対応する情報に変更してメール文を作成するメール文合成手段と、合成されたメール文をクライアントの各携帯端末に送信するメールサーバとを有し、
前記連動する放送番組が、コマーシャルメッセージのように１５秒〜３分間の短い時間において１日〜数日間に複数回放送するヘビーローテーション放送番組であることを特徴とする、テレビ放送連動型のミュージッククリップ配信システム。
【請求項４】
請求項１から請求項３のいずれか一項に記載のテレビ放送連動型のミュージッククリップ配信システムにおいて、前記連動する放送番組を、前記ヘビーローテーション放送番組であることに代えて、司会者などからミュージッククリップが紹介される放送番組にした、テレビ放送連動型のミュージッククリップ配信システム。
【請求項５】
請求項１から請求項３のいずれか一項に記載のテレビ放送連動型のミュージッククリップ配信システムにおいて、前記連動する放送番組を、前記ヘビーローテーション放送番組であることに代えて、ミュージッククリップのダウンロード数、リクエスト数、または売上数に応じてどの曲が人気があるかを知らせるミュージッククリップ連動テレビ番組にした、テレビ放送連動型のミュージッククリップ配信システム。
【請求項６】
請求項２に記載のテレビ放送連動型のミュージッククリップ配信システムにおいて、前記表示設定手段が所定時間、紹介されたミュージッククリップの表示リストを優先位置に設定する、テレビ放送連動型のミュージッククリップ配信システム。
【請求項７】
請求項６に記載のテレビ放送連動型のミュージッククリップ配信システムにおいて、前記表示設定手段の表示が順次、リストを上から下に並べるリストであり、表示設定手段が紹介されたミュージッククリップの表示リストを最も上位位置に設定する、テレビ放送連動型のミュージッククリップ配信システム。
【請求項８】
請求項６に記載のテレビ放送連動型のミュージッククリップ配信システムにおいて、前記優先位置がホームページ表示画面内におけるミュージッククリップ紹介曲位置である、テレビ放送連動型のミュージッククリップ配信システム。
【請求項９】
請求項１から請求項８のいずれか一項に記載のテレビ放送連動型のミュージッククリップ配信システムにおいて、ミュージッククリップ関連情報内に設けられた連動タイプ情報によって、制御部が連動の形態を判別する、テレビ放送連動型のミュージッククリップ配信システム。
【発明の詳細な説明】
【技術分野】
【０００１】
本発明はテレビ放送局の番組とコンテンツの連動技術に関し、特にテレビ放送局の番組とミュージッククリップ配信との連動技術に関する。
【背景技術】
【０００２】
近年、大容量高速ネットワークの発達により、多種多様な情報がネットワークを介して企業、一般消費者に提供されるようになっている。例えば、従来は放送によって不特定多数に伝えられてきたコンテンツも一対多の配信技術によって放送のように伝えることができる。
【０００３】
このような大容量高速ネットワークを用いた情報システムの提案が行われている。例えば、下記特許文献１には、動画情報と商品の説明や販売店などの詳細情報を別々に管理し、サーバコンピュータからクライアントコンピュータに配信することにより、訴求力のある動画とともに広告に関する詳細情報を入手できるようにした技術が提案されている。
【０００４】
また、下記特許文献２には、消費者のカタログ請求等の要望に迅速に対応するために、番組連動データ放送を利用して消費者に広告連動番組を提供し、独立データ放送を利用して地域商店にカタログデータを提供する技術が提案されている。
一方、レコード会社が保有する音楽コンテンツをインターネット上で配信することが行われており、さらに個人などが保有する音楽コンテンツや映像コンテンツなどもインテーネット上で配信される環境が整えられつつある。
【０００５】
【特許文献１】特開２００３−２９５８０１「動画を含む広告配信システム、広告配信用サーバ、クライアント、携帯端末及び広告配信方法」
【特許文献２】特開２００１−２８５２１８「データ放送利用方法、データ放送用システム及び記録媒体」
【発明の開示】
【発明が解決しようとする課題】
【０００６】
しかしながら、上記高速大容量の通信を用いて音楽と映像を含むコンテンツの配信を行う場合には、下記のような課題がある。
（Ａ）テレビで放映される音楽番組の視聴者は、新曲楽譜の有料ダウンロード顧客となることが予想されるが、テレビ番組を見る視聴者とインターネット上の動画配信サイトを利用する者とは必ずしも一致しない場合が多い。したがって、テレビ局の音楽番組を見ている視聴者を動画配信サイトに誘導し、一方、携帯電話から動画配信サイトを訪れた顧客をテレビ局の番組に興味を持たせるような仕組みを作ることができれば、テレビ局と動画配信を行っている会社の双方に大きなメリットが得られる。
【０００７】
（Ｂ）レコード会社にとって音楽コンテンツは最も重要な財産なので、不用意に不特定多数にその音楽コンテンツを配信することは、音楽コンテンツの希釈化、軽薄化を引き起こすことがあり慎重にならざるを得ない。特に、新人歌手と新曲の売り出しには、出版、コンサート、交流会の企画のみならず、コマーシャル、テレビ番組の出演など、周到に計画された売り出し戦略が練られるのが通常である。したがって、携帯電話等の携帯端末で配信される新曲等の販売時期、売り出し方については十分な注意が払われることが必要になる。
一般に楽曲の販売数はその音楽がテレビ番組等で放送された回数、歌手の映像を見た人の数によって大きく左右される。テレビコマーシャルに採用されたタレントや歌手が急に人気が出るケースが多いのも、短い場面を繰返し放送されることにより、条件反射的な記憶が視聴者に形成されるためである。
一方、歌手・タレント事務所側から考えると、ミュージッククリップ（プロモーションビデオ）などの制作を行うとともに、テレビ番組へ出演したりする宣伝活動には費用もかかるので、かかった費用に見合う楽曲の販売数が伸びないと大きな損失となる。このような現状を考えると、費用をかけずに効率的に新曲の宣伝、新人歌手の宣伝等を行える方法が望まれていた。
【０００８】
本発明は上記課題に鑑みてなされたものであり、本発明の目的は、上記課題を解決できる、テレビ放送連動型のミュージッククリップ配信システムを提供することにある。
具体的な目的の一例を示すと、以下の通りである。
（ａ）テレビ局の放送番組を見ている視聴者を効果的にミュージッククリップ配信サイトに誘導して、相互の連携によって広告作用を倍加するシステムを提供する。
（ｂ）ミュージッククリップを携帯端末に配信する場合に、安い費用で効果的に新曲、新人歌手のプロモーション（宣伝）を行える配信システムを提供する。
なお、上記に記載した以外の発明の課題、その解決手段及びその効果は、後述する明細書内の記載において詳しく説明する。
【課題を解決するための手段】
【０００９】
本発明は多面的に表現できるが、例えば、代表的なものを挙げると、次のように構成したものである。なお、符号は参考までに、後述する実施形態に示す機能部に対応させて付している。
第1発明は、ミュージッククリップに関する権利を有する権利者とミュージッククリップに関係する放送番組を制作するテレビ局とが提携して行うミュージッククリップ配信システムであって、
前記放送局が放送する放送番組において紹介するミュージッククリップに関する情報を記憶するミュージッククリップ関連情報記憶手段１と、前記権利者が関係するミュージッククリップの動画を記憶したミュージッククリップ動画記憶手段１３と、前記ミュージッククリップ動画を通信ネットワーク２４を介してクライアントの携帯端末２５にダウンロード配信するミュージッククリップ配信処理手段１２と、ミュージッククリップを紹介する放送番組と連動動作を行わせる連動処理手段２と、前記ミュージッククリップ関連情報の連動期間情報に基づいて前記連動処理手段２を起動及び終了させる制御部３とを備え、
前記連動処理手段２がテレビ画面処理手段４で構成され、
前記テレビ画面処理部４は、リアルタイム或いは録画された放送番組データを一時的に格納する放送番組記憶手段５と、連動表示のパターンとその表示方式を記憶する連動表示パターン記憶手段６と、放送番組デジタルデータの所定画面に対して連動表示を重ねて合成する合成手段7とを有し、
前記連動する放送番組が、コマーシャルメッセージのように１５秒〜３分間の短い時間において１日〜数日間に複数回放送するヘビーローテーション放送番組であることを特徴とする。
【００１０】
第２発明は、ミュージッククリップに関する権利を有する権利者とミュージッククリップに関係する放送番組を制作するテレビ局とが提携して行うミュージッククリップ配信システムであって、
前記放送局が放送する放送番組において紹介するミュージッククリップに関する情報を記憶するミュージッククリップ関連情報記憶手段１と、前記権利者が関係するミュージッククリップの動画を記憶したミュージッククリップ動画記憶手段１３と、前記ミュージッククリップ動画を通信ネットワーク２４を介してクライアントの携帯端末２５にダウンロード配信するミュージッククリップ配信処理手段１２と、ミュージッククリップを紹介する放送番組と連動動作を行わせる連動処理手段２と、前記ミュージッククリップ関連情報の連動期間情報に基づいて前記連動処理手段２を起動及び終了させる制御部３とを備え、
前記連動処理手段２が前記ミュージッククリップ配信処理手段１２で構成され、
前記ミュージッククリップ配信処理手段１２は、ミュージッククリップ配信処理手段１２のホームページを構成するミュージッククリップ配信ホームページ手段１５と、ホームページ内における表示パターンを記憶するサイト表示パターン記憶手段１４と、前記ミュージッククリップ関連情報の連動タイプ情報に基づいてミュージッククリップ配信ホームページ手段１５の表示状態を変換する表示設定手段１６とを有し、
前記連動する放送番組が、コマーシャルメッセージのように１５秒〜３分間の短い時間において１日〜数日間に複数回放送するヘビーローテーション放送番組であることを特徴とする。
【００１１】
第３発明は、ミュージッククリップに関する権利を有する権利者とミュージッククリップに関係する放送番組を制作するテレビ局とが提携して行うミュージッククリップ配信システムであって、
前記放送局が放送する放送番組において紹介するミュージッククリップに関する情報を記憶するミュージッククリップ関連情報記憶手段１と、前記権利者が関係するミュージッククリップの動画を記憶したミュージッククリップ動画記憶手段１３と、前記ミュージッククリップ動画を通信ネットワーク２４を介してクライアントの携帯端末２５にダウンロード配信するミュージッククリップ配信処理手段１２と、ミュージッククリップを紹介する放送番組と連動動作を行わせる連動処理手段２と、前記ミュージッククリップ関連情報の連動期間情報に基づいて前記連動処理手段２を起動させる制御部３とを備え、
前記連動処理手段２がメール処理手段１９で構成され、
前記メール処理手段１９は、各視聴者のメールアドレス、携帯電話の種類などを記憶する登録者情報記憶手段２０と、所定のメールのフォーマット文を記憶するフォーマット文記憶手段２１と、前記フォーマット文の所定箇所を各ミュージッククリップの対応する情報に変更してメール文を作成するメール文合成手段２２と、合成されたメール文をクライアントの各携帯端末２５に送信するメールサーバ２３とを有し、
前記連動する放送番組が、コマーシャルメッセージのように１５秒〜３分間の短い時間において１日〜数日間に複数回放送するヘビーローテーション放送番組であることを特徴とする。
【００１２】
第４発明は、第１発明から第３発明のいずれか一つに記載した発明において、前記連動する放送番組を、前記ヘビーローテーション放送番組であることに代えて、司会者などからミュージッククリップが紹介される放送番組にしたことを特徴とする。
第５発明は、第１発明から第３発明のいずれか一つに記載した発明において、前記連動する放送番組を、前記ヘビーローテーション放送番組であることに代えて、ミュージッククリップのダウンロード数、リクエスト数、または売上数に応じてどの曲が人気があるかを知らせるミュージッククリップ連動テレビ番組にしたことを特徴とする。
【００１３】
第６発明は、第２発明において、前記表示設定手段１６が所定時間、紹介されたミュージッククリップの表示リストを優先位置に設定することを特徴とする。
第７発明は、第６発明において、前記表示設定手段１６の表示が順次、リストを上から下に並べるリストであり、表示設定手段１６が紹介されたミュージッククリップの表示リストを最も上位位置に設定することを特徴とする。
【００１４】
第８発明は、第６発明において、前記優先位置がホームページ表示画面内におけるミュージッククリップ紹介曲位置３１であることを特徴とする。
第９発明は、第１発明から第８発明のいずれか一つに記載した発明において、ミュージッククリップ関連情報内に設けられた連動タイプ情報４７によって、制御部３が連動の形態を判別することを特徴とする。
以下、本発明である前記第１発明〜第９発明についてさらに説明する。
第１発明〜第３発明に記載した「ミュージッククリップに関する権利を有する権利者」の「権利者」としては、ミュージッククリップに関する権利を有する複数のレコード会社、音楽プロダクションなどである場合や、それら複数の権利者から各ミュージッククリップに関する使用許諾、契約委任などを得た仲介業者である場合が例示できる。
本発明において、「ダウンロード」とはクライアントへの配信を含む概念で使用している。また、「制御部」はコンピュータの中央制御装置とソフトウエアで構成されることが多い。
なお、第１発明の構成、第２発明の構成、第３発明の構成をいずれか２つ以上備えた発明であれば、連動の効果を著しく高めることができる。
【発明の効果】
【００１５】
以下、各発明の効果などについて説明する。
第1発明であれば、テレビ局が放送するミュージッククリップ紹介に連動して、ミュージッククリップを紹介する連動表示を行えるので、テレビ局の放送番組を見ている視聴者を効果的にミュージッククリップ配信サイトに誘導して、相互の連携によって広告作用を倍加することができる。特に、ミュージッククリップを紹介する放送番組がヘビーローテーション放送番組であるために効果が高い。
【００１６】
第２発明であれば、テレビ局が放送するミュージッククリップ紹介に連動して、ミュージッククリップ配信ホームページ手段の表示状態を変換するので、テレビ局の放送番組を見ている視聴者を効果的にミュージッククリップ配信サイトに誘導して、相互の連携によって広告作用を倍加することができる。特に、ミュージッククリップを紹介する放送番組がヘビーローテーション放送番組であるために効果が高い。
【００１７】
第３発明であれば、テレビ局が放送するミュージッククリップ紹介に連動して、ミュージッククリップを紹介するメールをクライアントに送信できるので、放送番組を見ていない時でも、その放送番組が紹介するミュージッククリップ動画のダウンロード可能情報をいち早く知ることができる。したがって、テレビ局の放送番組を見ている視聴者を効果的にミュージッククリップ配信サイトに誘導して、相互の連携によって広告作用を倍加することができる。特に、ミュージッククリップを紹介する放送番組がヘビーローテーション放送番組であるために効果が高い。
【００１８】
第４発明であれば、放送番組において、司会者などからミュージッククリップが紹介されることに連動して、視聴者を効果的にミュージッククリップ配信サイトへ導くことができる。
第５発明であれば、ミュージッククリップ連動テレビ番組とミュージッククリップ配信サイトとの連携を高めて、視聴者をミュージッククリップ配信サイトへ導き、また、ミュージッククリップ配信サイトの利用者をミュージッククリップ連動テレビ番組へと導くことができる。
【００１９】
第６発明であれば、番組においてミュージッククリップを紹介した後に、その紹介されたミュージッククリップをダウンロードされやすい優先位置に設定することができる。
第７発明であれば、ダウンロードサイト内の表示リストを最も上位位置に設定することによって、ミュージッククリップを見た視聴者にそのミュージッククリップを強く印象付けることができるので、ダウンロードされやすくすることができる。
【００２０】
第８発明であれば、前記優先位置がサイト表示画面内におけるミュージッククリップ紹介曲位置とすることによって、ミュージッククリップを見た視聴者にそのミュージッククリップを強く印象付けることができるので、ダウンロードされやすくすることができる。
第９発明であれば、ミュージッククリップ関連情報内に連動タイプを判別できる情報を設けることで、システムを簡単にすることができる。
なお、本発明はミュージッククリップ連動テレビ番組とミュージッククリップ配信サイトを連携させることで、効果的に双方のユーザを増やすことができ、結果として音楽コンテンツを費用をかけず宣伝することが可能になる。
【発明を実施するための最良の形態】
【００２１】
以下、本発明の実施の形態を図面に基づき説明する。
（第１実施形態）
本第１実施形態に使用するミュージッククリップ（以下、ＭＣと略称する）の関連情報について説明する。なお、第１実施形態では音楽コンテンツがＭＣである場合を例にとり、説明する。ＭＣはプロモーションビデオであり、歌手などの映像と音楽を含んだ動画コンテンツである。
図１は、ＭＣ関連情報の一例を示す模式図である。
これらのＭＣ関連情報の作成については、前記したミュージッククリップに関する権利を有する権利者（例えば、複数のレコード会社、音楽プロダクション、仲介業者など）と放送局が、放送番組内でのＭＣの紹介とＭＣ配信サイトからのＭＣダウンロードを行うことを契約することが前提となる。その契約の内容によって具体的な情報の項目が決定される。
例えば、ＭＣ関連情報には、ＭＣ配信コードとして、ＭＣが紹介される紹介番組コード４６、連動タイプコード４７、紹介時刻コード４８、権利者コード４９、連動期間コード５０、歌手名コード５１、曲名コード５２などが記憶されている。これらのコードは、それぞれ紹介番組情報、連動タイプ情報、紹介時刻情報、権利者情報、連動期間情報、歌手名情報、曲名情報の一例である。
【００２２】
紹介番組コード４６はＭＣが紹介される放送番組に関する情報を示すコードであり、
（１）コマーシャルメッセージのように１５秒〜３分間の短い時間において１日〜数日間に複数回放送され、その放送形態が所定期間、例えば２日間〜２１日間程度続くもの（以下、このような放送形態をヘビーローテーション放送番組と称する）、
（２）一般の放送番組において司会者などからＭＣが紹介されるもの、
（３）ＭＣのダウンロード数、リクエスト数、または売上数に応じてどの曲が人気があるかというような、ＭＣ配信サイトと連携するＭＣ連動テレビ番組において紹介されるもの
などの放送局で放送される具体的な番組を特定するコードが記憶される。
【００２３】
連動タイプコード４７は、各放送番組においてどのような形態で紹介連動が行われるかという情報を示すコードであり、本実施形態では、テレビ画面に対して「ＭＣ配信されています。」という意味のロゴなどが表示される場合、ＭＣ配信サーバのサイト表示画面の設定を連動して変える場合、ＭＣを紹介するメールを登録された携帯電話へ送信する場合の３タイプを示すコードである。これらの各タイプは１タイプのみ連動させる場合や、３タイプの全てを連動させることもできる。さらに、各３タイプ内においても連動の形態を細かく複数種類に区分することもできる。
【００２４】
例えば、後述する図１０、図１２に示すようなサイト表示画面の設定方法による区分も前記した細かい区分の一例である。また、後述するＭＣ配信メールにおける割引率を１０％、２０％、３０％、……、１００％（無料）に応じてメール配信を示す区分コードを細かく分類することで、各割引率をコンピュータが認識できるようにすることもできる。
これらの各タイプ内で細区分ができることは、テレビ画面にロゴなどが表示される場合、それらの特定などを行う場合でも同様である。
【００２５】
紹介時刻コード４８は、通常は、年月日、開始時刻、及び終了時刻で設定され、ＭＣが番組内で紹介される時間を特定するコードである。なお、番組と番組の間に放送される前記ヘビーローテーション放送番組の場合は、具体的な放送時刻を特定できない場合が多いので、この紹介時刻コード４８は記憶されない場合もある。
権利者コード４９はレコード会社、音楽プロダクション、仲介業者、タレント事務所、放送コンテンツを有する個人などＭＣに関係する権利者のコードが記載される。権利者コード４９は各者について一対一に設けられる。
【００２６】
連動期間コード５０は、各連動をどのタイミングでどれくらいの期間だけ行うかというコードである。通常、連動期間コード５０は、連動開始日時と連動終了日時を含んでいる。具体的に言うと、テレビ画面においてロゴ表示する時間帯が紹介時刻コードの時間帯と異なる場合には、ロゴ表示の開始日時と終了日時とを保存する。
メール配信であれば、前記連動開始日時と連動終了日時という指定ではなく、メール配信日時のみ保存しておく。
【００２７】
ＭＣ配信サーバの表示設定の場合も、表示開始日時と表示終了日時で設定される。表示開始日時と表示終了日時の間の期間が、表示設定される期間となり、１０分間、１時間、１週間、２週間、３週間、１ケ月、数ケ月というような期間が指定され、その期間内においてＭＣの前記優先位置などの配置設定が行われる。なお、表示開始日時をＭＣの番組紹介時刻よりもかなり前に設定することもできる。
【００２８】
歌手名コード５１はそのＭＣの音楽を歌っている歌手のコードを記憶する。曲名コード５２はそのＭＣの曲名をコードとして記憶する。このような情報をＭＣ関連情報としてＭＣ毎に記憶される。テレビ連動型で配信されるＭＣ毎にＭＣ関連情報を記憶しておくことで、例えば、紹介番組コードの同じ番号をコンピュータの検索機能でサーチし、ソート機能を用いて紹介時刻コードの時刻順に並べることにより、各番組において紹介されるＭＣを例えば、放送局コンピュータ（図示せず）の表示画面に番組表として一覧に表示することができる。なお、本システムに適用される曲は、新曲である場合が比較的多いが、昔の曲であっても同様に適用できるものである。
【００２９】
図２は前記番組表の表示を放送局コンピュータ画面上において実現した一例を示す図であり、ある放送局の水曜日の番組表を示した図である。
図２において、各時間帯に番組Ａ、番組Ｂ、番組Ｃ、番組Ｄ、番組Ｅというように音楽放送番組が設定されている。ここで、各ＭＣ関連情報において、紹介番組コードはＭＣ毎に付けられているので、それらの紹介時刻をＭＣの関連情報から引出すことにより、図２のように、例えば、番組Ａにおいて紹介ＭＣ４３が１曲、番組Ｄにおいて紹介ＭＣ４３が２曲あることを示す表示が行える。また、図２に示す構成では、連動タイプコードに基づいて表示画面連動を示す「ロゴ」の表示、サイト優先位置連動を示す「優」の表示、メール配信連動を示す「メール」の表示などが各ＭＣに対応して表示されるように構成してある。図２に基づいて説明すれば、番組Ａにおいて紹介ＭＣ４３では「ロゴ」、「優」、「メール」が表示されているので放送局のオペレータは、３つの連動形態の全てを行うＭＣであることが把握できる。また、番組Ｄにおいて前の時刻の紹介ＭＣ４３は「ロゴ」、「優」の表示がされ、また、後の時刻の紹介ＭＣ４３は「ロゴ」、「メール」が表示されているので、それぞれどのような連動が行われるか把握できる。
【００３０】
さらに、現在の進行時刻を矢印表示４４で示しており、その矢印表示４４において紹介される時刻を過ぎたときには、ＭＣ紹介の紹介が終わったと判断できる。
図２に示すような番組表が放送局コンピュータの表示装置に表示されることによって、ＭＣ配信処理部（ＭＣ配信サーバ）から配信されるＭＣとそのＭＣが紹介される音楽番組等との関連が放送局のオペレータが一目で判別できる。例えば、番組Ｄが１時間の生放送の音楽情報番組とし、おすすめＭＣ曲を番組内のコーナで紹介すると、後述する連動処理部が連動タイプコードに基づいて各連動処理を行うようにする。また、サイト優先位置連動であれば、そのＭＣ配信コード内の連動期間コードに対応する期間、例えば、紹介前３０分〜紹介後の１０日間の間、表示設定を変更する。
表示設定変更されたＭＣは公知の処理によって、ＭＣ配信ホームページ内に掲載され、携帯電話２５のような携帯端末からダウンロードされる。
【００３１】
図３は本第１実施形態に係るＭＣ配信システムの全体構成を示す概略ブロック図である。
本システムにおいては、ＭＣ関連情報を記憶するＭＣ関連情報記憶部１と、ＭＣを紹介するテレビ番組と所定の連動動作を行わせる連動処理部２と、その連動処理部２に対してＭＣ関連情報の連動期間コードの連動開始時刻などに基づいて連動処理部２を起動させる制御部３とを備えている。
前記連動動作としては、後述するメール送信処理、テレビ画面のロゴタイプなどの表示処理、ＭＣ配信サイトの表示設定処理が用意されている。
【００３２】
図３に示すように、連動処理部２はテレビ画面処理部４、ＭＣ配信処理部１２、メール処理部１９の３つに大別される。
図４は、前記テレビ画面処理部４の表示設定処理を実現する一構成例を示すブロック図である。本テレビ画面処理部４は、テレビ局のコンピュータに設けられることが一般的である。
【００３３】
図４に示すように、このテレビ画面処理部４は、リアルタイム或いは録画された放送番組データを一時的に格納する放送番組記憶部５と、連動表示のパターンとその表示方式を記憶する連動表示パターン記憶部６と、合成部７とを少なくとも備えている。合成部７は、制御部３からの信号によって放送番組デジタルデータの所定画面に対して連動表示を重ねて合成する機能がある。
合成された画像は、電波送信部８から各視聴者に対して、ケーブルネットワーク、光ファイバーネットワーク、電波ネットワーク、衛星電波ネットワークなどの放送ネットワーク１０を介して各視聴者のテレビ受信装置９に放送される。
なお、図４に示す構成では、紹介画面と連動表示を合成した画面を保存する合成画面記憶部５４を備えている。
【００３４】
図５は、前記ＭＣ配信サイトの表示設定処理を実現する一構成例を示すブロック図である。
ＭＣ配信処理部１２は、ＭＣ配信サーバ内に設けられることが多いものである。
図５に示すように、ＭＣ配信処理部１２は、各ＭＣ動画を記憶するＭＣ動画記憶部１３と、ＭＣ配信処理部１２のホームページを構成するＭＣ配信ホームページ１５と、ホームページ内における表示パターンを記憶するサイト表示パターン記憶部１４と、前記ＭＣ関連情報の連動タイプ情報に基づいてＭＣ配信ホームページ１５の表示状態を変換する表示設定部１６とを備えている。
【００３５】
サイト表示パターン記憶部１４には、連動タイプコードや携帯電話の種類に対応してＨＴＭＬなどの表示書式を複数種類備えている。例えば、後述する優先位置の表示を縮小テレビ画面で行う表示書式や、上下に配列するリスト形式の表示書式を備えている。
【００３６】
図６は、前記メール送信処理を実現する一構成例を示すブロック図である。
図６に示すように、メール処理部１９は、各視聴者のメールアドレス、携帯電話の種類などを記憶する登録者情報記憶部２０と、所定のメールの基本文（フォーマット文）を記憶するフォーマット文記憶部２１と、フォーマット文の所定箇所を各ＭＣの対応する情報に変更してメール文を作成するメール文合成部２２と、合成されたメール文を登録者の各携帯電話に送信するメールサーバ２３とを備えている。メールサーバ２３から送信されたメールはインターネットなどの通信ネットワーク２４を介して本サービスの登録者の携帯電話２５に送信される。
【００３７】
図７は第１実施形態に係る本システムの基本処理を示すフローチャートの一例である。
まず、制御部３（図３参照）は、テレビ放送局で毎日流れる放送番組について各放送番組コードを所定時間間隔でアクセスし（Ｓ１）、各アクセス時に、探索した放送番組コードにＭＣ関連情報の新規登録又は更新処理があるか否かを判別する（Ｓ２）。放送番組コードにＭＣ関連情報の新規登録又は更新処理がない場合は、Ｓ１に戻る。一方、放送番組コードにＭＣ関連情報の新規登録又は更新処理がある場合は、放送局コンピュータの番組表画面に紹介するＭＣ関連情報を反映させ（Ｓ３）、現在時刻が、そのＭＣ関連情報の連動期間コードの連動開始時刻になれば、連動タイプコードなどを参照して連動処理部２を起動する（Ｓ４）。
【００３８】
図８は個別の連動処理部２におけるステップＳ４の処理の一例を示すフローチャートである。
まず、連動処理部２は、どのような連動を行うかをＭＣ関連情報の連動タイプコードを読み取ることにより、各タイプを判別する（Ｓ２１）。
この実施形態においては、連動タイプコードは、ＭＣ配信サイトの優先位置を設定する連動タイプと、テレビ画面に連動表示を行う連動タイプと、各視聴者に対して視聴者が有する携帯電話に新たな紹介されたＭＣがあることを知らせるメール送信を行う、３つの連動タイプが用意されている。以下、各連動タイプの処理を図８に示すフローチャートと前記図４、図５、図６を参照しつつ説明する。
【００３９】
（テレビ画面に連動表示の場合）
図８に示すように、各連動タイプを判別するＳ２１において、テレビ画面にＭＣ配信を示す連動表示を行うと判別された場合には、テレビ画面処理部４（図４参照、以下同様）は、ＭＣ関連情報記憶部１に記憶された連動タイプコードと連動表示パターン記憶部６の連動表示条件を読み込み（Ｓ２２）、放送番組記憶部５に一時的に格納されている放送番組データとロゴなどの連動表示を合成部７において合成し（Ｓ２３）、その合成された放送番組画面を電波送信部８から放送として送信する（Ｓ２４）。
【００４０】
図９（Ａ）（Ｂ）は、それぞれテレビ画面処理部で生成された合成されたテレビ画面２６の一形態を示す図である。
図９（Ａ）では、テレビのＭＣ紹介番組で紹介されたＭＣが、ＭＣ配信サイトからダウンロードできるものであることを示すロゴ２７（図９（Ａ）においては○△で示す）がテレビ画面２６上に表示される。このロゴ２７は、ＭＣ配信サイトの名前や、テレビ局のコーナーの名前などであってもよい。要するに紹介されたＭＣがＭＣ配信サイトからダウンロードできるものであると視聴者が認識できるロゴ２７であれば、その表示形態は特に限定されない。
【００４１】
図９（Ｂ）は、前記連動表示がマーク２８である場合を示す図である。図９（Ｂ）に示す画面において紹介されたＭＣを紹介している間、マーク２８を表示した状態に維持する形態や、マーク２８を点滅させる形態などが例示できる。このようにマーク２８を印象づけることで、テレビ番組を見ている視聴者をＭＣ配信サイトに導くことができる。
【００４２】
また、連動表示は、図９（Ａ）（Ｂ）に示されるロゴ２７、マーク２８だけでなく、「このＭＣは以下の配信サイトからダウンロードできます。」というような案内文を表示する構成、テレビ画面を特定配色にする構成、特定の決まった動きのある画面にする構成、テレビ画面全体を所定色、模様などの枠で囲む構成などの変形例が例示できる。
このようなテレビ画面の表示と連動の方法をとることにより、音楽番組を見ている視聴者をそのままＭＣ配信サイトに導くことができ、ＭＣの宣伝効果は大きなものとなる。また、ＭＣ配信する携帯電話端末を持っている視聴者側から考えると、気に入った歌手の新曲やおすすめの新曲のＭＣを直ぐにダウンロードできるので、その新曲の情報を得ることができる。このようなシステムを行うことで、ＭＣ配信サイトを知らない顧客であっても、放送番組の視聴者をＭＣ配信サイトを訪れるユーザにすることができる。
【００４３】
（ＭＣ配信サイトの表示設定の場合）
図８に示すように、各連動タイプを判別するＳ２１において、ＭＣ配信サイトの表示設定を変更する設定であると判別された場合は、ＭＣ関連情報記憶部１（図５参照、以下同様）の連動タイプコードとサイト表示パターン記憶部１４のサイト表示パターンのサイト表示条件を読み込み（Ｓ２５）、ＭＣ関連情報内の連動期間コードを読み込み（Ｓ２６）、表示設定部１６が優先位置に表示される表示期間だけ、その表示設定の変更を行う（Ｓ２７）。変更された表示設定によってＭＣ配信ホームページの紹介ＭＣは変更され、その所定ダウンロード位置を指定することによって、携帯電話のユーザはそのＭＣをダウンロードできるようになる。
【００４４】
図１０は前記した上記ＭＣ配信サイトの設定状態を変更する一例を示す図であり、携帯電話に表示される配信サイト画面の一例を示す図である。この説明は、図８に示すステップＳ２５〜ステップＳ２７の一構成例である。
図１０に示す配信サイト画面には、サイト表示名３２とテレビ番組連動コーナーである旨の表示２９が行われ、放送番組内で特定されたＭＣ（紹介ＭＣ）をサイト内表示において優先位置３０に設定した場合を示している。
【００４５】
この実施形態においては、優先位置３０には、２つの縮小テレビ画像３１が表示され、その縮小テレビ画像３１は、テレビ画面で見たＭＣ紹介時の画面と同じであることによってサイトを訪れた人に分かりやすいようになっている。
ＭＣを紹介するテレビ画面は、図４で説明したように一時的に合成画面記憶部５４に格納されているので、ＭＣ配信処理部１２（図５参照）が有する画像圧縮部（図示せず）によって、サイト表示パターンの縮小画像表示領域に対応した情報量の縮小画像に変換され、対応する紹介ＭＣ位置に組み込まれる。また、ＭＣ関連情報の歌手名コード、曲名コードから呼び出した歌手名と曲名も自動的に挿入される。コンピュータが自動作成したサイト画面は、ＭＣ配信サーバを管理するオペレータによって間違い、表示異常がないことが確認された後、携帯電話からアクセスできるようにされる。
【００４６】
なお、図１０では、２つの縮小テレビ画像３１が示されているが、一つでも、３以上の複数の縮小テレビ画像３１を設けても良い。各縮小テレビ画像３１に対しては、ＭＣ関連情報の歌手名コード、曲名コードから呼び出した歌手名と曲名が挿入され、各いずれの縮小テレビ画像３１を選択してもダウンロードの画面にジャンプすることができるようになっている。
【００４７】
図１１は、縮小テレビ画像３１を選択したことによって表示されるサイト画面の一例を示した図であり、発売日とその曲及び歌手の紹介文が表示されている。そして、曲名のダウンロードクリック表示３３を選択することにより、携帯電話にその曲がダウンロードできるように構成されている。
これらの発売日、紹介文などは前記オペレータが必要に応じて入力してもよいし、曲名コードに対応させて予め紹介文を登録しておき、コンピュータがその紹介文を自動挿入することもできる。
【００４８】
また、そのＭＣが紹介された番組の内容が紹介欄３４に掲載されている。このように、ＭＣ配信サイトの表示画面に紹介されたテレビ番組のオンエアタイム、内容、番組名などの紹介欄３４を掲載することにより、そのテレビ番組を見ていない視聴者に対しても、ＭＣ配信サイトを訪れたユーザをテレビ番組に誘導することができる。
【００４９】
図１２は、ＭＣ配信サイトの他の表示画面の図であり、前記第７発明の一構成例である。この実施形態においては、図５のサイト表示パターン記憶部１４に記憶された表示パターンが順次、リストを上から下に並べるリストであり、前記ＭＣ関連情報の連動期間コードに基づいて前記ＭＣ配信処理部１２が、所定時間、ダウンロードサイト内の表示リストを最も上位位置に設定する構成となっている。
【００５０】
図１２においては、２つの番組名３７が表示され、各番組名３７において紹介された歌手名と新曲名が上から下に順に表示されるように構成してある。このうち、最も上に位置する歌手名、新曲名が優先位置であり、最近に放送番組において紹介されたＭＣとなる。この画面を見た視聴者は最も上位にある歌手、新曲名に着目することになるので、そのＭＣの宣伝になるとともに、ダウンロードの効率を高めることができる。
【００５１】
（メール配信の場合）
図８に示すように、各連動タイプを判別するＳ２１において、メール配信を行うと判別された場合には、登録情報記憶部２０（図６参照）に記憶された視聴者の携帯電話のメールアドレスを読み込むとともに、フォーマット文記憶部２１からメールのフォーマット文を読み込み（Ｓ２８）、メール文合成部２２がフォーマット文の所定箇所を各ＭＣの対応する情報に変更してメール文を作成し（Ｓ２９）、その合成されたメール文をメールサーバ２３が各視聴者のメールアドレスに送信する（Ｓ３０）。  
【００５２】
図１３は、メール処理部１９（図６参照）において作成された送信メールの一構成例を示す図であり、前記メールサーバによって送信されたメール文の一例を示す図である。
送信メールには「新曲ＭＣお知らせメール」という表題が付けられており、挿入領域が４つ設けられた場合を示している。即ち、テレビ番組名挿入領域３８、歌手名挿入領域３９、新曲ＭＣ名挿入領域４０、割引率挿入領域４１のそれぞれが各紹介ＭＣのＭＣ関連情報のデータに基づいて、基本となるメール文に挿入されるようになっている。
【００５３】
図６に示すメール文合成部２２は、前記挿入箇所において、ＭＣ関連情報から、紹介番組コード、歌手コード、曲名コード、連動タイプコード（割引率）から所定コードを引き出し、各対応テーブルを参照して前記所定コードを具体的な番組名、歌手名、新曲ＭＣ名、割引率に変換し、それらの文言を埋め込むことにより、メール文を作成し、各視聴者に送信する。
【００５４】
割引率は、このメールに対して、ＭＣ配信サイトからダウンロードした場合に正規の料金から割り引くサービスであり、このようなサービスを設けることにより、本紹介メールを見て定期的にダウンロードする、又は定期的にＭＣ配信サイトを見るユーザを増やすことができる。
なお、図１１に示した縮小テレビ画像３１付きのＭＣ紹介画像を含んだファイル（例えば画像を含んだＨＴＭＬファイル）をそのままフォーマット文に挿入してメールとして送信することもできる。
【００５５】
本実施形態に示すシステムに使用できるＭＣ配信コードの一例を示す。
図１４（Ａ）（Ｂ）はそれぞれＭＣ関連情報を各ＭＣファイル名として記憶する実施形態を説明するための図である。
図１４（Ａ）に示すように、本実施形態では、紹介番組コード４６、連動タイプコード４７、紹介時刻コード４８、権利者コード４９、連動期間コード５０、歌手名コード５１、曲名コード５２などのコードを一連に繋げて各ＭＣのファイル名とする。
【００５６】
図１４（Ｂ）では、各コードを数字０〜９の数字、Ａ〜Ｚの英文字で示したものであり、各コードを一連に並べることで、どのＭＣであってもファイル名で特定することができる。各コードにどれくらいの桁数を割り当てるかは適宜、情報の大きさに応じて決定する。
【００５７】
また、動画ファイル形式がＭＰＥＧで構成されるならば、前記ＭＣ配信コードに、例えばｍｐ３というようなファイル識別子を付与することで、ＭＣ配信コードは、そのままＭＣ動画ファイルとして認識することができる。
この構成であれば、コンピュータは、放送局におけるＭＣの処理と、ＭＣ配信サイトにおけるＭＣ動画の特定及びその処理が各コードの桁数の対応部分を引出すことによって行うことができる。また、ＭＣ動画ファイル名を送信するだけでＭＣ動画ファイルを指定できるとともに、前記した各連動処理部２（図３参照）がそれぞれ、ＭＣ配信コード内の連動タイプコードを認識して、メール配信、テレビ画面の連動表示、ＭＣ配信サイトの表示変更を処理することができる。
【００５８】
本発明は、前記実施形態だけでなく、本発明の要旨を変更しない範囲内において、各種の変形、応用が可能である。
（１）例えば、前記実施形態では、音楽コンテンツをＭＣに限定して説明したが、携帯電話などの携帯端末に配信可能な音楽コンテンツを対象とする第１発明〜第９発明を構成することができる。
（２）前記実施形態では許可信号をＭＣ配信コードである場合を例示したが、ＭＣ配信コードでない構成も当然に採用できる。また、その配信ＭＣコードの一部だけを前記連動のための情報として使用しても良い。
【図面の簡単な説明】
【００５９】
【図１】図１は、本発明の第１実施形態に係るＭＣ関連情報の一例を示す模式図である。
【図２】図２は、番組表の表示を放送局コンピュータ画面上において実現した一例を示す図である。
【図３】図３は、第１実施形態に係る本システムの全体構成を示す概略ブロック図である。
【図４】図４は、テレビ画面処理部の一構成例を示すブロック図である。
【図５】図５は、ＭＣ配信処理部の一構成例を示すブロック図である。
【図６】図６は、メール処理部の一構成例を示すブロック図である。
【図７】図７は、第１実施形態に係る本システムの基本処理を示すフローチャートの一例である。
【図８】図８は、個別の連動処理部が行う処理の一例を示すフローチャートである。
【図９】図９（Ａ）（Ｂ）は、それぞれテレビ画面処理部で合成されたテレビ画面の一形態を示す図である。
【図１０】図１０は、ＭＣ配信サイトの設定状態を変更する一例を示す図である。
【図１１】図１１は、縮小テレビ画像を選択したことによって表示されるサイト画面を示した図である。
【図１２】図１２は、リストを上から下に並べるリストのサイト画面の一例を示した図である。
【図１３】図１３は、メール処理部において作成された送信メールの一構成例を示す図である。
【図１４】図１４（Ａ）（Ｂ）は、それぞれＭＣ関連情報を各ＭＣファイル名として記憶する実施形態を説明するための図である。
【符号の説明】
【００６０】
１…ＭＣ関連情報記憶部、２…連動処理部、３…制御部、４…テレビ画面処理部、５…放送番組記憶部、６…連動表示パターン記憶部、７…合成部、１２…ＭＣ配信処理部、１３…ＭＣ動画記憶部、１４…サイト表示パターン記憶部、１５…ＭＣ配信ホームページ、１６…表示設定部、１９…メール処理部、２０…登録者情報記憶部、２１…フォーマット文記憶部、２２…メール文合成部、２３…メールサーバ、２４…通信ネットワーク、２５…携帯電話、３１…新ＭＣ紹介曲位置、４７…連動タイプコード。
【図１】
2007243692.tif 000003
【図２】
2007243692.tif 000004
【図３】
2007243692.tif 000005
【図４】
2007243692.tif 000006
【図５】
2007243692.tif 000007
【図６】
2007243692.tif 000008
【図７】
2007243692.tif 000009
【図８】
2007243692.tif 000010
【図９】
2007243692.tif 000011
【図１０】
2007243692.tif 000012
【図１１】
2007243692.tif 000013
【図１２】
2007243692.tif 000014
【図１３】
2007243692.tif 000015
【図１４】
2007243692.tif 000016